(57)【要約】【課題】簡単にその場で手術室の医療器具等のレイアウトを検討して決定や変更を行うことができ、図面に不慣れな人にも理解することが容易な手術室のレイアウト方法を提供する。【解決手段】手術室の床面に対応する基台１と、手術室の壁面に対応する壁面パネル３と、医療器具が描かれた器具付壁面パネル２若しくは医療器具が描かれた器具パネル４とを有し、前記パネル類２，３，４は前記基台１に対して着脱可能である手術室のレイアウト装置を用いた手術室のレイアウト方法であって、前記パネル類２，３，４を基台１上で仮置きしながら部屋の配置決めを行う。【選択図】　　　　図１
2004070021.tif 000002
【特許請求の範囲】
【請求項１】
手術室の床面に対応する基台と、
手術室の壁面に対応する壁面パネルと、
医療器具が描かれた器具付壁面パネル若しくは医療器具が描かれた器具パネルとを有し、
前記パネル類は前記基台に対して着脱可能である手術室のレイアウト装置を用いた手術室のレイアウト方法であって、
前記パネル類を基台上で仮置きしながら部屋の配置決めを行うことを特徴とする手術室のレイアウト方法。
【請求項２】
前記壁面パネル及び器具付壁面パネルの床面側に対応する側縁に太線が描かれたことを特徴とする請求項１に記載の手術室のレイアウト方法。
【発明の詳細な説明】
【０００１】
【発明の属する技術分野】
本発明は、手術室の医療器具等の配置を考える際のレイアウト方法に関するものである。
【０００２】
【従来の技術】
従来手術室のレイアウトを考える際、壁面が手前方向に広がって見える手術室を天井側から見たような構成の床見下げ図、あるいは床側から見たような構成の天井見上げ図等の図面を描き、必要に応じてそれぞれの壁面図を作成していた。
【０００３】
【発明が解決しようとする課題】
しかしながら、上記従来の手術室のレイアウト方法では、一度作成した図面とは違うレイアウトにしたい場合、再び図面を描き直さなければならず、最終的なレイアウトが決定するまで多くの時間がかかっていた。特に手術室の医療器具等の配置は医師によって考え方が千差万別であるため、図面の書き直しは必至であり、新たな図面が出来上がるまで手術室の建設に取り掛かることができず、作業の遅れを招いていた。また、図面は特殊な書き方で描かれているものもあり、図面に不慣れな人にとっては図面に描かれた内容を理解するのに時間がかかり、更に遅れを生じていた。
【０００４】
本発明は上記従来技術を考慮したものであって、簡単にその場で手術室の医療器具等のレイアウトの検討や変更を行うことができ、図面に不慣れな人にも理解することが容易な手術室のレイアウト方法の提供を目的とする。
【０００５】
【課題を解決するための手段】
前記目的を達成するため、本発明では、手術室の床面に対応する基台と、手術室の壁面に対応する壁面パネルとを有し、医療器具が描かれた器具付壁面パネル若しくは医療器具が描かれた器具パネルと、前記パネル類は前記基台に対して着脱可能である手術室のレイアウト装置を用いた手術室のレイアウト方法であって、前記パネル類を基台上で仮置きしながら部屋の配置決めを行うことを特徴とする手術室のレイアウト方法を提供する。
【０００６】
この構成によれば、基台上の任意の位置にパネル類を仮置きしてレイアウトを仮設定し、仮置きしたパネル類を動かしながら各種レイアウトを検討することができ、最良のレイアウトを短時間で容易に設定することができる。また、レイアウトに変更が生じた場合でも基台上に置かれたパネル類を取外して交換したり新たなパネルを基台上に取り付けることができるので、その場で簡単にレイアウトの変更に対応した図面を提供することができる。なお、本発明のパネルとは、実際の壁面板や設備器具あるいは医療器具等を同一縮尺で平面的に形成した模型の型材をいう。
【０００７】
好ましい構成例においては、前記壁面パネル及び器具付壁面パネルの床面側に対応する側縁に太線が描かれたことを特徴としている。
【０００８】
この構成によれば、レイアウトを考える際に床面と壁面の区別が太線を境に容易にできるので見やすくなり理解が早まり、レイアウト設定がさらに容易にできる。
【０００９】
【発明の実施の形態】
図１は本発明に係る手術室のレイアウト方法に用いるレイアウト装置の平面図であり、図２はパネル類を収納するパネル収納台（ケース）の平面図、図３は基台の概略斜視図である。
【００１０】
レイアウト装置６は、手術室の床面に対応する基台１と、医療器具が描かれた器具付壁面パネル２と、壁面パネル３と医療器具が描かれた器具パネル４とにより構成される（図１参照）。基台１の表面及びパネル２，３，４の裏面は例えばマグネット等で形成され、両者が容易に着脱可能となるよう形成される。マグネット以外にも、簡単に剥れ繰返し使用可能な接着剤あるいは面ファスナー等を用いることもできる。
【００１１】
器具付壁面パネル２及び壁面パネル３の一側縁には太線７が描いてあり、これにより、各パネルの天井側と床側の区別が容易にでき、また壁面と床面の境界の区別を容易にできる。器具付壁面パネル２及び壁面パネル３の幅は数種類用意し、様々な壁面の幅に対応させることができる。壁面パネル３上にこれより小さい器具パネル４を適宜選択して貼り付けることができる。器具付壁面パネル２は壁面パネルに予め器具が描かれているパネルである。
【００１２】
これらのパネル２，３，４はパネル収納台５に並べられて収納されて保管される（図２参照）。パネル収納台５は中央から折畳み可能であり、携帯性に優れた大きさとする。基台１には格子状に縦横に線８が描かれ、パネル２，３，４の配置がしやすいようになっている（図３参照）。
【００１３】
上記レイアウト装置６を用いて本発明に係るレイアウト方法を行う場合、まず基台１とパネル収納台５を開く。次に壁面パネル３の太線７を基台１の線８を目安に太線７で部屋の床面を描くように配列する（図１では四角形状）。次に壁面に沿わせて配置する医療器具（図のａ〜ｍ）を形取る器具パネル４を壁面パネル３あるいは基台１上に仮置きしてある程度のレイアウトを構成する。このとき、配置場所が決定した器具パネル４が置かれた壁面パネル３をその医療器具が直接描かれた器具付壁面パネル２に置き換えることにより基台１上に描かれたレイアウトが見やすいものとなる。壁面のレイアウトと同時に床面に配置する医療器具（手術台ｍ等）が描かれた器具パネル４を基台１上に仮置きしながら床面上のレイアウトも考える。このようにしてレイアウトを検討しながら各種配置やその変更をその場で簡単に作成することができるので迅速にレイアウトを決定することができる。また、図面に不慣れな人にも理解がしやすく、さらに迅速にレイアウトの構成をすることができる。
【００１４】
器具付医療パネル２及び器具パネル４に描く医療器具は手術室に配置する一般的なものであり、例えば電気を供給する電源盤の役割をするアイソレーションユニットａ、様々なコンセントを備えたコンセントユニットｂ、Ｘ線等の写真を見るためのシャーカステンｃ、手術室内の記録及び外部との連絡等に必要な機器やスイッチ類を備えた情報パネルｄ及び記録台ｅ、使用される薬品、診療材料、滅菌物等の保管・整理に使用する器材戸棚ｆ及び薬品戸棚ｇ、生理食塩水や薬液等を一定温度で保温、保冷して保管する保温・保冷庫ｈ、手術室への出入りのための自動ドアｉ、手術室内の清浄度を落とさないで隣の部屋と薬品等の受け渡しができるパスボックスｊ、手術室の清浄度を保つためのダクト吸入口ｋ、現在時刻、麻酔時間、手術時間等を表示するオペタイマーｌ、手術台ｍ、等を用意する。
【００１５】
【発明の効果】
以上説明したように、本発明では、レイアウト設定の際、基台上にパネル類を仮置きし、これらのパネル類を取外して交換したり新たなパネルを基台上に取り付けることができる。これにより、部屋の大きさや形状及び設備器具や医療器具の配置について、パネルを並べ替えながら十分に検討して配置決定できるとともに、その場で簡単にレイアウトの変更にも対応でき、最良のレイアウトを短時間で容易に決定することができる。
【００１６】
また、壁面パネル及び器具付壁面パネル下部に太線を描くことにより、レイアウトを考える際に床面と壁面の区別が太線を境に容易にできるので見やすくなり理解が早まってレイアウト設定がさらに効率的にできる。
【図面の簡単な説明】
【図１】本発明に係る手術室のレイアウト方法に用いるレイアウト装置の平面図。
【図２】パネル類を収納するパネル収納台の平面図。
【図３】基台の概略斜視図。
【符号の説明】
１：基台、２：器具付壁面パネル、３：壁面パネル、４：器具パネル、
５：パネル収納台、６：レイアウト装置、７：太線、８：線。
【図１】
2004070021.tif 000003
【図２】
2004070021.tif 000004
【図３】
2004070021.tif 000005